(57)【要約】【課題】  装置としての使用電力の制約の基で、低消費電力モードからレディモードへの復帰時間を短くできるようにした画像形成装置及び定着装置を提供する。【解決手段】  低消費電力モード時には加圧ローラ内部の加圧ローラヒータランプ２３をＯＮ・ＯＦＦさせ定着可能温度に温めておく。低消費電力モード時にプリント要求されたとき、加熱ローラ内の第１の加熱ローラヒータランプ２１及び第２の加熱ローラヒータランプ２２を同時にＯＮさせる。定着ベルト２０が定着可能な温度に達したとき、加圧ローラ１９は既に温まっているので、プリント可能な温度までは早く復帰することが可能である。【選択図】  図２
2007047699.tif 000002
【特許請求の範囲】
【請求項１】
静電潜像を現像、転写することにより媒体上に現像剤像を形成する画像形成部と、
第１の熱源を有する定着手段と、
前記定着手段に対向配置され、第２の熱源を有するとともに、前記媒体を前記定着手段との間を通過させることにより前記現像剤像を定着する加圧ローラと、
当該装置の消費電力を、当該装置が直ちに動作できるレディモードと、低消費電力モードとに切換えるモード切換手段と、
前記モード切換手段が低消費電力モードのとき前記第１の熱源及び第２の熱源の一方のみを駆動して前記定着手段又は前記加圧ローラを定着可能温度に維持する第１の熱源駆動手段と、
前記モード切換手段が低消費電力モードからレディモードに切換えられたとき、他方の熱源を当該装置の使用電力の制約の基で最大の電力で駆動する第２の熱源駆動手段と、
を有することを特徴とする画像形成装置。
【請求項２】
前記第１の熱源駆動手段は、低消費電力モード時には第２の熱源のみを動作させ、第１の熱源は停止させることを特徴とする請求項１記載の画像形成装置。
【請求項３】
前記第２の熱源駆動手段は前記定着手段又は前記加圧ローラが定着可能な温度に復帰するまでの時間は、前記第２の熱源の駆動を停止し、第１の熱源のみを駆動させることを特徴とする請求項１または請求項２記載の画像形成装置。
【請求項４】
前記定着手段及び前記加圧ローラが定着可能な温度まで加熱されたとき、前記第１の熱源及び前記第２の熱源により前記定着手段及び前記加圧ローラを定着可能な温度に維持させる、第３の熱源駆動手段をさらに有することを特徴とする請求項１乃至請求項３のいずれか１項記載の画像形成装置。
【請求項５】
前記第１の熱源は２つのヒータランプを有し、前記第２の熱源は１つのヒータランプを有することを特徴とする請求項１乃至請求項４のいずれか１項記載の画像形成装置。
【請求項６】
前記第２の熱源駆動手段は前記第１の熱源中の２つのヒータランプを駆動させることを特徴とする請求項５記載の画像形成装置。
【請求項７】
前記第３の熱源駆動手段は前記第１の熱源中の１つのヒータランプを駆動させることを特徴とする請求項５または請求項６記載の画像形成装置。
【請求項８】
前記定着手段は、
前記第１の熱源を有する加熱ローラと、
前記加熱ローラに離間対向して設けられた定着ローラと、
前記加熱ローラと前記定着ローラとの間に掛け渡されて回転し、前記加熱ローラの熱を前記定着ローラに伝達する無端の定着ベルトと、
を有することを特徴とする請求項１乃至請求項７のいずれか１項記載の画像形成装置。
【請求項９】
第１の熱源を有する定着手段と、
前記定着手段に対向配置され、第２の熱源を有するとともに、前記媒体を前記定着手段との間を通過させることにより前記現像剤像を定着する加圧ローラと、
当該装置の消費電力を、当該装置が直ちに動作できるレディモードと、低消費電力モードとに切換えるモード切換手段と、
前記モード切換手段が低消費電力モードのとき前記第１の熱源及び第２の熱源の一方のみを駆動して前記定着手段又は前記加圧ローラを定着可能温度に維持する第１の熱源駆動手段と、
前記モード切換手段が低消費電力モードからレディモードに切換えられたとき、他方の熱源を当該装置の使用電力の制約の基で最大の電力で駆動する第２の熱源駆動手段と、
を有することを特徴とする定着装置。
【請求項１０】
前記第１の熱源駆動手段は、前記低消費電力モード時には第２の熱源のみを動作させ、第１の熱源は停止させることを特徴とする請求項９記載の定着装置。
【請求項１１】
前記第２の熱源駆動手段は前記定着手段又は前記加圧ローラが定着可能な温度に復帰するまでの時間は、前記第２の熱源の駆動を停止し、第１の熱源のみを駆動させることを特徴とする請求項９または請求項１０記載の定着装置。
【請求項１２】
前記定着手段及び前記加圧ローラが定着可能な温度まで加熱されたとき、前記第１の熱源及び前記第２の熱源により前記定着手段及び前記加圧ローラを定着可能な温度に維持させる、第３の熱源駆動手段をさらに有することを特徴とする請求項９乃至請求項１１のいずれか１項記載の定着装置。
【請求項１３】
前記第１の熱源駆動手段は第２の熱源のみを駆動するものであり、第１の熱源は２つのヒータランプを有し、第２の熱源では１つのヒータランプを有することを特徴とする請求項９乃至１２のいずれか１項記載の定着装置。
【請求項１４】
前記第２の熱源駆動手段は前記第１の熱源中の２つのヒータランプを駆動させることを特徴とする請求項１３記載の定着装置。
【請求項１５】
前記第３の熱源駆動手段は前記第１の熱源中の１つのヒータランプを駆動させることを特徴とする請求項１３または請求項１４記載の定着装置。
【請求項１６】
前記定着手段は、
前記第１の熱源を有する加熱ローラと、
前記加熱ローラに離間対向して設けられた定着ローラと、
前記加熱ローラ前記定着ローラとの間に掛け渡されて回転し、前記加熱ローラの熱を前記定着ローラに伝達する無端の定着ベルトと、
を有することを特徴とする請求項９乃至請求項１５のいずれか１項記載の定着装置。
【発明の詳細な説明】
【技術分野】
【０００１】
本発明は画像形成装置及び定着装置に係り、特に定着装置の温度制御を改良した画像形成装置及び定着装置に関する。
【背景技術】
【０００２】
複写機などの画像形成装置の動作モードとして、画像形成装置が直ちに動作可能な状態で通常の消費電力で動作させるレディモードと、レディモード時に所定の時間プリント要求がない場合に、画像形成装置内の各装置を、例えばエナジースターに規定されている消費電力内で待機させる低消費電力モードがある。
【０００３】
低消費電力モード時はエナジースター等で定められている所定の使用電力の制約の基で各装置を動作させている。この電力の制約下では定着装置のローラ類を定着可能な温度に維持させることが出来ないので、長時間低消費電力モードが続くと定着装置の温度は定着可能な温度より下がってしまう。このような低消費電力状態でプリント要求があり、レディモードに移行する場合レディモードまでの復帰時間は短ければ短いほどよい。この復帰時間は定着装置の温度が定着可能な温度に達する時間である。
【０００４】
従来、低消費電力モードからレディモードへの復帰時間を短くすることを考慮した画像形成装置があった。（特許文献１）
【特許文献１】特開２００３−３３０３１２号公報（第１項、図２）
【発明の開示】
【発明が解決しようとする課題】
【０００５】
しかしながら、特許文献１記載の技術は定着ローラにのみヒータが内蔵されており、低消費電力時には定着ローラのみが所定の温度に維持されている。すなわち低消費電力モードでは加圧ローラは温度が低下している。このような状態でプリント要求がなされると、定着ローラは２本のヒータで加熱されて昇温されるが、定着ローラから伝熱されて加熱される加圧ローラが定着可能な温度に昇温されるまでには時間が掛かり、結局レディ状態になるまでには相当な時間を要するものである。
【０００６】
そこで本発明は上記問題点を解決するためになされたもので、装置としての使用電力の制約の基で、低消費電力モードからレディモードへの復帰時間を短くできるようにした画像形成装置及び定着装置を提供することを目的とする。
【課題を解決するための手段】
【０００７】
上記目的を達成するために、本発明の画像形成装置は、静電潜像を現像、転写することにより媒体上に現像剤像を形成する画像形成部と、第１の熱源を有する定着手段と、前記定着手段に対向配置され、第２の熱源を有するとともに、前記媒体を前記定着手段との間を通過させることにより前記現像剤像を定着する加圧ローラと、当該装置の消費電力を、当該装置が直ちに動作できるレディモードと、低消費電力モードとに切換えるモード切換手段と、前記モード切換手段が低消費電力モードのとき前記第１の熱源及び第２の熱源の一方のみを駆動して前記定着手段又は前記加圧ローラを定着可能温度に維持する第１の熱源駆動手段と、前記モード切換手段が低消費電力モードからレディモードに切換えられたとき、他方の熱源を当該装置の使用電力の制約の基で最大の電力で駆動する第２の熱源駆動手段と、を有することを特徴としている。
【０００８】
更に、本発明による定着装置は、第１の熱源を有する定着手段と、前記定着手段に対向配置され、第２の熱源を有するとともに、前記媒体を前記定着手段との間を通過させることにより前記現像剤像を定着する加圧ローラと、当該装置の消費電力を、当該装置が直ちに動作できるレディモードと、低消費電力モードとに切換えるモード切換手段と、前記モード切換手段が低消費電力モードのとき前記第１の熱源及び第２の熱源の一方のみを駆動して前記定着手段又は前記加圧ローラを定着可能温度に維持する第１の熱源駆動手段と、前記モード切換手段が低消費電力モードからレディモードに切換えられたとき、他方の熱源を当該装置の使用電力の制約の基で最大の電力で駆動する第２の熱源駆動手段と、を有することを特徴としている。
【発明の効果】
【０００９】
本発明によれば、装置としての使用電力の制約の基で低消費電力モードからレディモードへの復帰時間を短くできるようにした画像形成装置及び定着装置を提供することができる。
【発明を実施するための最良の形態】
【００１０】
以下、本発明の実施例を図面を参照して説明する。ただし、この実施例に記載されている構成部品の寸法、材質、形状等は特に特定的な記載がない限りは、この発明の範囲を限定するものではない。
【実施例】
【００１１】
図１に本発明を適用する画像形成装置の概略を示す。画像形成装置は複写機の他にファクシミリ、プリンタ等があり、本発明を適用した定着装置を用いることができる画像形成装置であればどのようなものであってもよい。
【００１２】
図１中の１は画像形成装置であり、画像形成装置１の下部には記録媒体２を格納した給紙カセット３が設けられている。記録媒体２は搬送系４を介して図中上方へ搬送される。搬送系４には記録媒体２を画像形成部まで搬送する搬送ローラ５、レジストローラ６、転写装置７、定着装置８、画像記録を終えた記録媒体２を排紙トレイ９に排出する排紙ローラ１０が配設されている。
【００１３】
画像形成装置１内の中央部には画像形成部がある。画像形成部は回転自在に取り付けられた感光体ドラム１１と、この感光体ドラム１１の周囲部に矢印方向の回転に沿って配設される、帯電装置１２、露光装置１３、現像装置１４、転写装置７、クリーニング装置１５で構成される。なお、帯電装置１２と現像装置１４との間には露光装置１３からのレーザ光が導かれるスリットが設けられている。また、現像装置１４の上方にはトナー供給装置１６が設けられている。
【００１４】
画像形成時の各装置の作用を説明する。まず、図示しない画像読取り部により原稿像が読取られる。ここで感光体ドラムは１１の表面は帯電装置１２により帯電されている。読取られた画像情報に基づき、露光装置１３によりレーザ光が感光体ドラム１１の表面に照射される。露光装置１３から画像情報により強度変調されたレーザビームが照射されることにより、感光体ドラム１１に複写すべき画像の電荷を残した静電潜像が形成される。感光体ドラム１１上に形成された静電潜像は現像装置１４で静電潜像と逆極性に帯電したトナーを付着され可視像となる。そして静電潜像に付着されたトナーに給紙カセット３から搬送されレジストローラ６で整位された記録媒体２を重ね、記録媒体２の裏側から転写装置７によりトナーの帯電極性とは逆極性の電荷を記録媒体２に与えることにより、静電力によりトナーは記録媒体２に転写される。トナーが転写された記録媒体２は定着装置８に搬送され、定着装置８により熱及び圧力を加えられ、トナーが融着される。画像形成を終えた記録媒体２は排紙ローラ１０を介し、排紙トレイ９に排出される。一方転写されずに感光体ドラム上に残った残留トナーはクリーニング装置１５で除去される。
【００１５】
次に本施例を用いた定着装置８について説明する。図２は本発明の実施例に用いた定着装置８である。図２中で、定着装置８は定着手段として加熱ローラ１７、この加熱ローラ１７に所定の距離だけ離間対向して設けられた定着ローラ１８、及びこれら加熱ローラ１７と定着ローラ１８との間に張設され、加熱ローラ１７と定着ローラ１８の回転に伴って回転する定着ベルト２０を有している。
【００１６】
また、定着ローラ１８と対向しベルトを介して下方から押圧する加圧ローラ１９が設けられている。この定着ベルト２０は例えばニッケル電鋳、ステンレスあるいはポリイミドを基材とし外周面に例えばシリコンゴムの耐熱弾性層を有した無端のものが用いられる。更に外側にＰＦＡチューブ等の高離型性フッ素樹脂を被覆、またはコーティングし離型性をよくしたものも用いられる。加熱ローラ１７は中空のアルミまたは鉄の芯金を用い、磨耗防止のためにＰＴＦＥの皮膜層がコーティングされている。また、本装置の立ち上がりをよくするために、薄肉のものを使用し低熱容量化したものが望ましい。定着ローラ１８は、例えばシリコンスポンジ等からなる耐熱弾性体層を芯金上に設けたものを用い、広いニップを確保する観点から硬度が低いものが好ましい。
【００１７】
本実施例では、定着ベルト２０に基材としてニッケル電鋳３７μｍ、その外周面にはシリコンゴム２００μｍ、ＰＦＡチューブ３０μｍから構成され、加熱ローラ１は外径３０ｍｍ、厚さが３ｍｍのアルミの芯金の表面にＰＴＦＥを２０μｍの厚さでコーティングしたものを用いた。定着ローラ１８にはスポンジの硬度３５°でスポンジ厚が８ｍｍとした直径３８ｍｍのローラを用い、加圧ローラ１９には外形３８ｍｍで厚さ５ｍｍのアルミの芯金上にゴムを１ｍｍ被覆し、さらにその上に５０μｍのＰＦＡチューブを被覆したものを用いた。
【００１８】
加熱ローラ１７内部には第１の熱源として、第１の加熱ローラヒータランプ２１（例えば５５０Ｗ）と第２の加熱ローラヒータランプ２２（例えば５５０Ｗ）を備えている。第１の加熱ローラヒータランプ２１は通常サイズ紙用のものであり、第２の加熱ローラヒータランプ２２は小サイズ紙用のものである。この通常サイズ紙用の第１の加熱ローラヒータランプ２１は加熱量が長手方向で一定になるように配光をしているものを用い、小サイズ紙用の第２の加熱ローラヒータランプ２２は小サイズ紙用を連続で通した時の非通紙部温度上昇を防ぐように両端部の熱量が中央部よりも低くなるような配光をしている。
【００１９】
また、定着ローラ１８と対向し、ベルトを介して下方から押圧する加圧ローラ１９が設けられている。この加圧ローラ１９は、中空のアルミまたは鉄の芯金にシリコンゴムを被覆し、その外側にＰＦＡチューブを被覆するのが望ましい。また、加圧ローラ１９内側には第２の熱源として加圧ローラヒータランプ２３（例えば４５０Ｗ）が配設されている。
【００２０】
加熱ローラ１７の表面には加熱ローラ１７表面の温度を検出する第１の温度検知手段２４が設けられている。第１の温度検知手段２４は加熱ローラ１７の外周面に巻きついた定着ベルト２０表面に配置してもよい。また、加圧ローラ１９の表面にも加圧ローラ１９の表面温度を検出する第２の温度検知手段２５が設けられている。
【００２１】
なお、各ヒータランプが暴走したときのために加熱ローラ１７、加圧ローラ１９にサーモスタット２６、２７を配置し、加熱ローラ１７、加圧ローラ１９が異常に高温になったときに第１の加熱ローラヒータランプ２１、第２の加熱ローラヒータランプ２２、加圧ローラヒータランプ２３に電力を供給しないようにしている。
【００２２】
また、第１の加熱ローラヒータランプ２１は第１の電源２８に、第２の加熱ローラヒータランプ２２は第２の電源２９に、加圧ローラヒータランプ２３は第３の電源３０に、それぞれ接続されている。これら第１の加熱ローラヒータランプ２１、第２の加熱ローラヒータランプ２２、加圧ローラヒータランプ２３は、それぞれ電源２８、２９、３０により電圧を印加されることで昇温する。第１の電源２８、第２の電源２９と第１の温度検知手段２４は第１の制御手段３１を介して接続されている。また、第３の電源３０と第２の温度検知手段２５は第２の制御手段３２を介して接続されている。また、第１の制御手段３１と第２の制御手段３２はモード切換手段３３と接続されている。
【００２３】
次に本実施例の温度制御について図３、図４を用いて説明する。画像形成装置にプリント要求がくると（ＳＴ１）、図示しない画像形成装置のメインモータが駆動しプリントを開始する（ＳＴ２）。プリント終了後（ＳＴ３）メインモータが停止し、モード切換手段３３はレディモードに移行する（ＳＴ４）。ここでレディモード時の第１の熱源とを駆動して定着装置を定着可能な温度に維持させる第２の熱源の制御である第３の熱源駆動手段について説明する。
【００２４】
レディモード時では第１の加熱ローラヒータランプ２１と加圧ローラヒータランプ２３とを選択的にＯＮ／ＯＦＦして定着ベルト２０と加圧ローラ１９を定着可能な温度に維持している。このとき、第１の温度検知手段２４により加熱ローラ１７の温度を検知し、第１の制御手段３１は第１の温度検知手段２４により検知された温度が定着可能温度より高い場合は第１の加熱ローラヒータランプ２１をＯＦＦさせる。また、検知された温度が定着可能温度より低い場合は第１の加熱ローラヒータランプ２１をＯＮさせて、定着ベルト２０を定着可能温度に維持させる。なお、定着可能な温度とは所定の温度幅を持った値である。
【００２５】
一方、第２の温度検知手段２５により加圧ローラ１９の温度を検知し、第２の制御手段３２は第２の温度検知手段２５により検知された温度が定着可能温度より高い場合は加圧ローラヒータランプ２３をＯＦＦさせる。また、検知された温度が定着温度より低い場合は加圧ローラヒータランプ２３をＯＮさせて加圧ローラヒータランプ１９を定着可能温度に維持させる。レディモード時は以上のように第３の熱源駆動手段により第１の加熱ローラヒータランプ２１と加圧ローラヒータランプ２３とを選択的にＯＮ／ＯＦＦして定着装置を定着可能温度に維持させる。
【００２６】
次に、レディモードに移行後所定の時間プリント要求がない場合（ＳＴ５）、モード切換手段は低消費電力モードに移行する（ＳＴ６）。低消費電力モード時の第１の熱源と第２の熱源の制御である第１の熱源駆動手段について説明する。低消費電力モードに切換わると、第１の制御手段３１により第１の電源２８、第２の電源２９を停止させ、第１の加熱ローラヒータランプ２１と第２の加熱ローラヒータランプ２２とをＯＦＦ状態とさせる（ＳＴ７）。
【００２７】
一方、第２の制御手段３２は第２の温度検知手段２５により加圧ローラ１９の温度を検知し（ＳＴ８）、加圧ローラ１９の温度が所定の温度（例えば本実施例では１３０℃）以下である場合（ＳＴ９でＮｏ）、第３の電源３０により加圧ローラ１９内の加圧ローラヒータランプ２３に電圧を印加し第３のヒータランプ２３をＯＮさせる（ＳＴ１０）。ここで第２の温度検知手段２５による検知温度が所定の温度（なお、所定の温度とは温度幅を持った値である）以上になった場合、第３の電源３０による加圧ローラヒータランプ２３への電圧印加を停止させ、加圧ローラヒータランプ２３をＯＦＦさせる（ＳＴ１１）。ここで低消費電力モード時は第２の制御手段３２によりエナジースター等に規定されている消費電力内で加圧ローラ１９の温度制御を行い、加圧ローラ１９の温度は定着可能な温度に維持させる。プリント要求がくるまでこの動作（ＳＴ８〜ＳＴ１２）が繰り返される。
【００２８】
次に低消費電力モード時にプリント要求があった場合（ＳＴ１２）、モード切換手段３３はレディモードに移行する。レディモードから低消費電力モードに復帰するときの第１の熱源と第２の熱源の制御である第２の熱源駆動手段について説明する。まず第２の制御手段３２により第３の電源３０を停止させ、加圧ローラヒータランプ２３をＯＦＦ状態とさせる（ＳＴ１３）。そして第１の制御手段３１では低消費電力モードからレディモードに復帰させるため、第１の電源２８と第２の電源２９により、第１の加熱ローラヒータランプ２１と第２の加熱ローラヒータランプ２２に電圧を印加し、第１の加熱ローラヒータランプ２１と第２の加熱ローラヒータランプ２２をＯＮさせる（ＳＴ１４）。この時の第１の熱源の電力は５５０Ｗ＋５５０Ｗ＝１１００Ｗとなる。
【００２９】
ここで、画像形成装置としては最大消費電力が制限されており、定着装置部分では第１の加熱ローラヒータランプ２１と第２の加熱ローラヒータランプ２２とを同時に駆動はできるが（５５０Ｗ＋５５０Ｗ＝１１００Ｗ）、第１の加熱ローラヒータランプ２１、第２の加熱ローラヒータランプ２２及び加圧ローラヒータランプ２３を同時に駆動（５５０Ｗ＋５５０Ｗ＋４５０Ｗ＝１５５０Ｗ）できない値となっている。
【００３０】
その後第１の温度検知手段２４により加熱ローラ１７表面の温度を検知し（ＳＴ１５）、加熱ローラ１７の表面温度が所定の温度（例えば本実施例では１６０℃）に達すると（ＳＴ１６でＹｅｓ）、第１の加熱ローラヒータランプ２１と第２の加熱ローラヒータランプ２２をＯＦＦさせ、加圧ローラヒータランプ２３をＯＮさせて加圧ローラ１９、定着ローラ１８、加熱ローラ１７を回転させプリントを開始する。この時、加圧ローラ１９は低消費電力モードで既に定着可能な温度に温まっているうえ、回転が始まると定着ベルト２０から温度を供給されるのでプリント開始に十分な設定温度に達しており、プリントを開始する。
【００３１】
本実施例の第１の熱源駆動手段、第２の熱源駆動手段、第３の熱源駆動手段を用いる時の第１の加熱ローラヒータランプ２１、第２の加熱ローラヒータランプ２２、加圧ローラヒータランプ２３の動作を、下記の〔表１〕にまとめる。
【００３２】
【表１】
2007047699.tif 000003
【００３３】
表１及び図４より判るように、低消費電力モード時は第１の熱源駆動手段を用いる。第１の熱源駆動手段は第１の加熱ローラヒータランプ２１、第２の加熱ローラヒータランプ２２は両方ともＯＦＦさせ、加圧ローラヒータランプ２３は加圧ローラ１９を定着可能温度に維持するようにＯＮ・ＯＦＦさせる。低消費電力モード時にプリント要求があり、レディモードへ復帰する時は第２の熱源駆動手段を用いる。第２の熱源駆動手段は第１の加熱ローラヒータランプ２１、第２の加熱ローラヒータランプ２２を定着ベルト２０が定着可能温度（例えば、加熱ローラ１７の表面温度が１６０℃）になるまで両方ともＯＮさせて、加圧ローラヒータランプ２３はＯＦＦさせる。レディモード時は第３の熱源駆動手段を用いる。第３の熱源駆動手段は第１の加熱ローラヒータランプ２１と、加圧ローラヒータランプ２３をＯＮ・ＯＦＦさせて定着ベルト２０、加圧ローラ１９を定着可能温度に維持させ、第２の加熱ローラヒータランプ２２はＯＦＦさせる。
【００３４】
本実施例の温度制御をすることで、図４のように定着ベルト２０及び加圧ローラ１９の温度を未定着画像が良好に定着できるような温度まで早く立ち上がらせることが可能である。
【００３５】
本実施例の定着装置は図２に示すようにベルト方式の定着装置であるが、他にもローラ方式の定着装置があり本発明はどちらでも適用できる。
【図面の簡単な説明】
【００３６】
【図１】本発明の実施例を示す画像形成装置の概略図。
【図２】本発明の実施例を示す定着装置の断面図。
【図３】本実施例の温度制御を表すフローチャート。
【図４】本実施例の低消費電力モードからの復帰時間と温度を示す図。
【符号の説明】
【００３７】
１  画像形成装置  
２  記録媒体  
３  給紙カセット  
４  搬送系  
５  搬送ローラ  
６  レジストローラ  
７  転写装置  
８  定着装置  
９  排紙トレイ  
１０  排紙ローラ  
１１  感光体ドラム  
１２  帯電装置  
１３  露光装置  
１４  現像装置  
１５  クリーニング装置  
１６  トナー供給装置  
１７  加熱ローラ  
１８  定着ローラ  
１９  加圧ローラ  
２０  定着ベルト  
２１  第１の加熱ローラヒータランプ  
２２  第２の加熱ローラヒータランプ  
２３  加圧ローラヒータランプ  
２４  第１の温度検知手段  
２５  第２の温度検知手段  
２６  サーモスタット  
２７  サーモスタット  
２８  第１の電源  
２９  第２の電源  
３０  第３の電源  
３１  第１の制御手段  
３２  第２の制御手段  
３３  モード切換手段  
【図１】
2007047699.tif 000004
【図２】
2007047699.tif 000005
【図３】
2007047699.tif 000006
【図４】
2007047699.tif 000007